(57)【特許請求の範囲】
【請求項１】
外枠（Ａ）に組付け整合される前枠（Ｂ）の内側にパチンコゲームを展開し得る遊技盤（Ｃ）がセットされる一方、前枠（Ｂ）の前側に遊技盤（Ｃ）のゲーム領域を透視保護し得る開閉式の窓枠（Ｄ）がセットされた遊技機において、
前記窓枠（Ｄ）は、前記前枠（Ｂ）の前面に整合する方形サイズに合成樹脂成形されると共に中央にゲーム領域透視用の窓口（２３）を形成して前枠（Ｂ）に対して開閉及び着脱可能に組付けられる枠本体（２４）と、この枠本体（２４）の窓口（２３）を覆い前記ゲーム領域を透視保護し得る板ガラス（２６）を側辺の挿入部（４８ａ）から横向きに挿入支持し得る方形サイズに成形されて枠本体（２４）裏側に対して横向き開閉可能に軸支される支持枠（２５）とが合体して一つに取扱い可能な透視窓として構成される一方、
前記枠本体（２４）と支持枠（２５）との相対応する上辺部に、支持枠（２５）を、閉鎖セット位置に保持し得ると共に、板ガラス（２６）の横入れに必要な開放状態に保持し得る開閉保持機構（５８）を装備し、
前記開閉保持機構（５８）を、前記枠本体（２４）の裏側上部に固定された支持部材（６２）に可動規制部材（６３）の基端部を水平回動自在に支持し、前記可動規制部材（６３）の先端部に前方から切欠形成された長溝（６４）内に前記支持枠（２５）の上辺部に突設されたピン（６５）を嵌挿した構成とし、
前記枠本体（２４）の裏側において前記支持枠（２５）を、前記開閉保持機構（５８）の前記可動規制部材（６３）を前後方向へ揺動させて、前記ピン（６５）を前記長溝（６４）に沿って摺動案内させることにより、前記板ガラス（２６）の挿脱が可能とされる開放支持位置と前記枠本体（２４）に重合された状態で前記板ガラス（２６）の挿脱が不能とされる前記閉鎖セット位置との間で傾動案内させることを特徴とするパチンコ遊技機における窓枠。
【請求項２】
前記支持部材（６２）には、前記ピン（６５）と弾性的に係止するフック（６７）が設けられており、
前記ピン（６５）は、前記可動規制部材（６３）の前記長溝（６４）に沿って摺動案内されることにより前記支持枠（２５）の傾動案内及び開放規制を許容する傾動規制手段（６１）と、前記フック（６７）が弾性的に係止されることにより前記支持枠（２５）を前記閉鎖セット位置に保持するロック手段（６６）とで兼用されていることを特徴とする請求項１に記載のパチンコ遊技機における窓枠。
【発明の詳細な説明】
【０００１】
【発明の属する技術分野】
この発明は、遊技者から透視できる機内の遊技領域内にパチンコ球を打込んでゲームを行うことができるパチンコ遊技機における窓枠に関するものである。
【０００２】
【従来の技術】
パチンコ機やアレンジボール機に代表されるこの種の遊技機では、外枠の開口前面に、遊技領域を構成した遊技盤、窓枠（ガラス窓ともいう。）、上下の球受け皿、打球発射装置、裏側の機構セット盤等の多くの遊技用構成部材を設置した前枠が開閉及び着脱可能に組付けられて１台単位とされている。このような遊技機にあって、遊技盤の透視保護窓とされる窓枠については、最も一般的な形態のものとして、前枠の窓枠口内周囲に合せてビス止めセットされる金属製縦長方形の枠本体（金枠ともいう。）の内側に、金属製正方形のガラス枠（支持枠ともいう。）が、その一側縁の縦支軸を連結して横開き形態で組付けられており、このガラス枠内に前後２枚のガラスが挿入されて構成されている。
【０００３】
【発明が解決しようとする課題】
ところが、前述した従来の遊技機において、前枠に装備される窓枠は、パチンコホール等の機器設置場所においてガラス枠（支持枠）のガラス挿入溝内に板ガラスを挿入する際に、ガラス枠が開閉方向へ不安定に揺動し易く、それがために挿入しようとする板ガラスの縁部がガラス枠のフレームに当たって欠損してしまうというおそれがあった。またガラス挿入後に前記ガラス枠を枠本体に対して閉鎖セットするためには、回動式の施錠具等を用いて施錠作業を行わなければならず、組付け、組外し作業の煩雑化は避けられなかった。
【０００４】
本発明は、前述した課題を好適に解決するべく提案されたものであって、遊技領域（遊技盤）を透視保護し得る窓枠に対して板ガラスを手早く確実に挿入でき、かつ、挿入後においては簡易迅速にセット完了ができるようにしたパチンコ遊技機における窓枠を提供することを目的とするものである
【０００５】
【課題を解決するための手段】
前述した目的を達成するため、本願請求項１の発明に係るパチンコ遊技機は、外枠に組付け整合される前枠の内側にパチンコゲームを展開し得る遊技盤がセットされる一方、前枠の前側に遊技盤のゲーム領域を透視保護し得る開閉式の窓枠がセットされた遊技機において、前記窓枠は、前記前枠の前面に整合する方形サイズに合成樹脂成形されると共に中央にゲーム領域透視用の窓口を形成して前枠に対して開閉及び着脱可能に組付けられる枠本体と、この枠本体の窓口を覆い前記ゲーム領域を透視保護し得る板ガラスを側辺の挿入部から横向きに挿入支持し得る方形サイズに成形されて枠本体裏側に対して横向き開閉可能に軸支される支持枠とが合体して一つに取扱い可能な透視窓として構成される一方、前記枠本体と支持枠との相対応する上辺部に、支持枠を、閉鎖セット位置に保持し得ると共に、板ガラスの横入れに必要な開放状態に保持し得る開閉保持機構を装備し、前記開閉保持機構を、前記枠本体の裏側上部に固定された支持部材に可動規制部材の基端部を水平回動自在に支持し、前記可動規制部材の先端部に前方から切欠形成された長溝内に前記支持枠の上辺部に突設されたピンを嵌挿した構成とし、前記枠本体の裏側において前記支持枠を、前記開閉保持機構の前記可動規制部材を前後方向へ揺動させて、前記ピンを前記長溝に沿って摺動案内させることにより、前記板ガラスの挿脱が可能とされる開放支持位置と前記枠本体に重合された状態で前記板ガラスの挿脱が不能とされる前記閉鎖セット位置との間で傾動案内させることを特徴としている。従って、本願請求項１の発明においては、開閉保持機構により適宜の傾動開放角度をもって開放支持位置に保持された支持枠に対して板ガラスが挿入され、挿入後において支持枠は前記開閉保持機構により閉鎖セット位置に保持される。
【０００６】
また本願請求項２の発明は、前記請求項１の発明において、前記開閉保持機構は、前記支持部材には、前記ピンと弾性的に係止するフックが設けられており、前記ピンは、前記可動規制部材の前記長溝に沿って摺動案内されることにより前記支持枠の傾動案内及び開放規制を許容する傾動規制手段と、前記フックが弾性的に係止されることにより前記支持枠を前記閉鎖セット位置に保持するロック手段とで兼用されていることを特徴とする。従って、本願請求項２の発明においては、前記請求項１の発明の作用に加え、支持枠は可動規制部材の操作により簡単に枠本体に対し開閉され、支持枠に対する板ガラス挿入後において支持枠を閉鎖セット位置方向に回動復帰させると、支持枠は枠本体の裏側において閉鎖セットされる。
【０００７】
【発明の実施の形態】
次に、本発明に係るパチンコ遊技機につき、好適な実施形態を挙げて添付図面を参照しながら以下詳細に説明する。なお、以下において「左」又は「右」は、遊技機の表側から見た場合の「左」又は「右」を示すものとする。
【０００８】
本実施形態のパチンコ機は、その基本的構成の概要として、図１に略示するように、機体の外郭をなす縦長方形の外枠Ａの開口前面側に、各種の遊技用構成部材をセットする縦長方形の前枠Ｂが開閉及び着脱可能に組付けられている。そして、この前枠Ｂの前面側に、遊技領域となる遊技盤Ｃの透視保護窓である窓枠Ｄと、上の球受け皿Ｅとが個々の連結支持手段等を利用して共に横開き形態で開閉可能に組み付け整合される一方、前枠Ｂの下部に下の球受け皿Ｆ及び打球発射装置Ｇ等が装着セットされ、また前枠Ｂの裏側に各種の球経路及び球処理・払出部等を備えた機構セット盤（図示しない）がセットされている。なお、図中Ｈは球貸しシステムに利用されるカードユニットを示す。
【０００９】
本実施形態のパチンコ機の搭載枠とされる前記前枠Ｂは、全体が合成樹脂成形されたもので、基本的には図１，図２に示すように、外枠Ａの開口前面域に適合する外形サイズに成形されて内側に正面縦長方形の窓枠口１を開口した枠体２と、この枠体２の裏側に一体成形されて窓枠口１の正面内部に臨むセット口３を開口した遊技盤セット保持用の保持枠４とが前後に連設された内外二重枠形態とされている。そして枠体２においては、窓枠口１の下部に下の球受け皿Ｆや打球発射装置Ｇの打球部Ｇ２等を設置するための設置盤５が成形されて、その中央部に賞球用の給出口６が開口されている。また窓枠口１の右縁部には施錠装置７が設けられると共に、右縁部と上縁部との隅角部には窓枠Ｄの開閉状態を検出するための検出スイッチ８が設けられている。一方、保持枠４においては、図２に示すごとく、窓枠口１の下部内側に位置する遊技補助盤９が一体成形されており、この補助盤９の上端縁を基準にして前記セット口３が開口されている。そして遊技補助盤９には、賞球用の給出口１０等が成形されると共に、スピーカ１１を内蔵した球受けケース１２及び発射レール１３等がセットされている。なお、前枠Ｂの枠体２前面（上縁部、右側縁部、及び左側縁部）には、図２に例示するようにリブ３０が延設され、これらのリブ３０が窓枠Ｄ及び上球皿Ｅの裏側に対向形成された溝（図示しない）と組付け整合時にラビリンス構造でかみ合うことで機台前面側からの異物（針金等）侵入による不正遊技を防止している。また同様に、窓枠Ｂにおける設置盤５と遊技補助盤９との境界部には水平方向へ溝３１が延設され、この溝３１に上の球皿Ｅの下縁が組付け整合時にはかみ合うようになっている。
【００１０】
前述した前枠Ｂにおいて、窓枠口１は、前面側から出入れ（着脱）される遊技盤Ｃのセット面域及び出入れ口ともされ、その下部開口面域に合せて上の球受け皿Ｅを組付けセットし得るようになっている。そして図２に示すように、窓枠口１の開口前面側の３周縁（上縁及び左右の側縁）の前面全体が後述する窓枠Ｄを整合収容し得るセット面域１４とされている。一方、前記保持枠４のセット口３の内周４箇所の隅部に成形された遊技盤用の係合部１５には、図示しないが回動式の施錠具（特願平３−１５７８７５号参照）がセットされている。なお外枠Ａに対する前枠Ｂの組付けについては、正面左側縁の上、下部にそれぞれ配設された従来より公知の開閉着脱用支持手段と、右側縁に装着された前記施錠装置７を利用して、左右方向の開閉及び上下方向の着脱が可能に組付けられている。ちなみに施錠装置７については、基本的には図８，９に略示するように、前枠Ｂの枠体２の右側に設置されて共通の合鍵（図示せず）で解錠操作される錠機構部１６と、外枠Ａに対する前枠Ｂの施錠具としての第１施錠機構部１７と、前枠Ｂに対する窓枠Ｄの施錠具としての第２施錠機構部１８とを備えて、夫々の機構部１７，１８には錠機構部１６の時計方向、反時計方向への回動操作により解錠される昇降施錠杆１９，２０が組付けられている。そして、外枠Ａに対する前枠Ｂの閉鎖整合状態において、第１施錠機構部１７の昇降施錠杆１９の上下の掛止片２１と、外枠Ａの右枠杆（図示しない）の上下に配設された受け片２２が係合するようになっている。
【００１１】
前述した前枠Ｂに組付けられる前記窓枠Ｄは、従来の金属製窓枠とは異なる合成樹脂製の横開き形態のものであって、その基本的な構成は、図３，５に示すように、前記セット面域１４に整合する外形サイズの方形状に構成されて中央部に窓口２３を有する扉枠用の枠本体２４と、この枠本体２４の内側（窓口２３の裏側）に着脱及び傾動開放可能に組付けセットされるガラス支持用の支持枠２５とが主体とされている。そして枠本体２４に遊技稼動状態を表示する後述の電飾表示部８０を配設すると共に、前記支持枠２５に方形の透明板である板ガラス２６（２枚）を挿入して、全体が１つに取扱い可能なのフレームレス透視窓として構成されると共に、１つの窓部材として容易に取扱い、保管、移送ができるようになっている。そして、窓枠Ｄは後述する支持・施錠技術を利用して、前枠Ｂに開閉及び着脱が可能に組付けセットされるようになっている。
【００１２】
そこで、この窓枠Ｄの具体的な構成を図１〜図１３を参照して説明する。まず枠本体２４は、外郭全体がほぼ方形箱蓋状に合成樹脂成形されて外周囲及び内部各位にリブ状の補助部を有して、適正な強度を有する軽量な扉枠状部材に構成されている。そしてこの枠本体２４では、図１，３に示すように、正面右側縁中央に凹部２７を形成し、また中央部に前記窓口２３を成形している。この窓口２３については、前記遊技盤Ｃのゲーム（遊技）領域に適した広さのほぼ円形状とされており、その内周囲のリブ２８を奥向き方向に斜状（勾配）に形成して、ゲーム領域全体を好適に見通し得るようになっている。なお、この枠本体２４の表面には装飾効果を図るために、所要の色彩や図柄等を印刷した樹脂フィルム状の装飾膜（図示しない）を利用して、熱転写加工又はインモールド加工に基づいて貼付することも可能とされる。また、前記凹部２７については、前記施錠装置７の前面側を覆うように前枠Ｂの右側縁に取着された鍵飾り２９が枠本体２４の閉鎖時に嵌合係止する形態とされ、その嵌合係止状態において前記鍵飾り２９が枠本体２４を施錠前において仮支えし得るようになっている。
【００１３】
また、図１，３，４に示すように、前記枠本体２４の窓口２３の周囲前面側の各部には窓枠Ｄの装飾模様を構成し得る前記電飾表示部８０が装備されている。この電飾表示部８０は、パチンコ機の稼動状態（球払出し、発射作動等）や遊技状態（入賞、図柄変動、大当たり、Ｖ入賞等）を表示するものであり、本実施形態では第１電飾表示部８１、第２電飾表示部８２、第３電飾表示部８３、及び、第４電飾表示部８４により構成されている。まず、図中左側の第１電飾表示部８１と図中右側の第２電飾表示部８２について説明すると、これら両電飾表示部８１，８２は、例えば大当たり用又は権利発生用の表示に使用されるものであり、ガラス管に不活性ガス（キセノンガス）を注入してなる光源としてのキセノン管８５，８６が照明用基板としてのランプ基板８７，８８上に実装され、各ランプ基板８７，８８が窓口２３の上周囲の左右両側に形成された各設置部８９，９０にそれぞれ取着されている。
【００１４】
また図中中央の第３電飾表示部８３は、例えば球貸し用の前記カードユニットＨとの接続不良を報知表示するものであり、光源としてのＬＥＤ９１が照明用基板としてのランプ基板９２上に実装され、同ランプ基板９２が窓口２３の上周囲のほぼ中央に形成された設置部９３に取着されている。さらに図１等に示すように、前記左側の設置部８９には第４電飾表示部８４が前記第１電飾表示部８１の下方に設けられて、例えば稼動状態の表示等をし得るようになっている。この第４電飾表示部８４は、賞球検知を例とした発射停止表示をなすＬＥＤ（光源）９４ａが図中一番上の第１ランプ基板９５ａ上に実装され、１０個〜１５個例の賞球払出し表示をなすＬＥＤ（光源）９４ｂと１個〜９個例の賞球払出し表示をなすＬＥＤ（光源）９４ｃが図中真ん中の第２ランプ基板９５ｂ上に実装され、払出し不良（エラー）時には点滅又は点灯の切換えをするようになっている。また図中一番下の第３ランプ基板９５ｃ上には窓枠Ｄの開放表示を前記検出スイッチ８の検出結果に基づき表示するＬＥＤ（光源）９４ｃが実装されている。
【００１５】
そして、前記第１〜第４の各電飾表示部８１〜８４においては、第１，第２，第４の三つの電飾表示部が配設された左右両設置部８９，９０の前面に亘って、左右対称形態をなす１つの大型ランプレンズ（照明用透光部材）９６が着脱交換可能に取着されている。このランプレンズ９６は前記左右両設置部８９，９０と対応する部位において前方への膨出部９６ａを含む２連山形状に有色（例えば赤色）樹脂成形されたものであり、その組付け時には裏面側縁に形成された複数のフック９６ｂが図５に示すように枠本体２４に形成された各係止穴９７と弾性的に係合するようになっている。また第３電飾表示部８３にあっては、その設置部９３の前面に亘り前方への膨出部９８ａを含むように有色（例えば黄色）樹脂成形された小型ランプレンズ（照明用透孔部材）９８が各フック９８ｂを枠本体２４側の各係止穴９９に弾性係合させて着脱交換可能に取着されている。
【００１６】
前記前枠Ｂに対する窓枠Ｄの枠本体２４の組付けについては、正面左側縁の上下部に配設された開閉着脱用の支持手段３２，３３と、右側縁に装設された施錠部が利用される。すなわち、図４，図６，図１１に示すように、上の支持手段３２では、前枠Ｂの枠体２の左上端部に設けられた支持片３４の軸孔３４ａと、窓枠Ｄの枠本体２４の左上隅部に設けられた上の開閉連結支持具３５の支軸３６とが嵌挿連結され、また下の支持手段３３では、前記枠体２の左中段部に設けられた支持片３７から突出する支軸３７ａと、前記枠本体２４の左下隅部に設けられた下の開閉連結支持具３８の軸孔３９とが嵌挿連結されて、枠本体２４が枠体２に対して左右への回動及び着脱が可能に支持されている。また、施錠部では、図５，８，１３に例示するように、枠本体２４の右縁裏側の上下に固定された施錠受け具４０の係合部４０ｂが前記施錠装置７における第２施錠機構部１８の昇降施錠杆２０と係脱可能に係合して、窓枠Ｄの枠本体２４を閉鎖状態で施錠するようになっている。なお、前記施錠受け具４０は、図５，１０，１１，１３に例示するように所定形状をなす金属板から成形された受け具本体４０ａの一側に前記係合部４０ｂが形成されると共に、他側に補強部４０ｃが縦方向に延設されて、受け具本体４０ａが枠本体２４の右側縁部における補強部材を兼用している。
【００１７】
このような枠本体２４の組付け技術において、前記上の開閉連結支持具３５は、図７に例示するように、金属板から成形された支持具本体４１が、枠本体２４の裏側左上隅部にネジ止めされている。そして図１２に示すように支持具本体４１の上部には前記支軸３６を嵌挿支持するための軸筒部４２が形成されると共に、支持具本体４１の下部には、後述する支持枠２５における支持片５９の軸孔５９ａと対応する支軸（ピン）４３が、受け部として、枠本体２４の内方側に位置して前記支軸３６とは異なる縦中心線上に設けられている。即ち、前記上の開閉連結支持具３５は枠本体２４に対する支持手段と支持枠２５に対する支持手段を兼用しており、又、枠本体２４の左側縁部における補強部材を兼用している。なお前記軸筒部４２に嵌挿支持される支軸３６は、軸筒部４２から下方に突出する基端部が内方に曲折されており、その基端部に前記裏板２４ｂに上端がネジ止めされたバネ４４の下端が係着されている。これにより、前記支軸３６は前記バネ４４の付勢力により常には先端部が前記軸筒部４２から上方へ突出するように構成されている。
【００１８】
一方、前記下の開閉連結支持具３８は、図７に例示するように、金属板から成形された支持具本体４５が枠本体２４の裏側左下隅部にネジ止めされている。そして図１２に示すように支持具本体４５の下部には前記軸孔３９を穿設した支持片４６が折曲形成されると共に、支持具本体４５の上部には、後述する支持枠２５における支持片６０の軸孔６０ａと対応する支軸（ピン）４７が、受け部として、枠本体２４の内方側に位置して前記軸孔３９とは異なる縦中心線上に設けられている。即ち、前記下の開閉連結支持具３８は枠本体２４に対する支持手段と支持枠２５に対する支持手段を兼用しており、又、枠本体２４の左側縁部における補強部材を兼用している。このような組付け構成にあって、本実施形態では、前記軸孔３４ａと支軸３７ａにより前枠Ｂ側の連結部が構成され、同連結部と対応する窓枠Ｄ側の連結支点部が前記支軸３６と軸孔３９により構成されている。また同様に前記軸孔５９ａと軸孔６０ａにより支持枠２５側の連結部が構成され、同連結部と対応する窓枠Ｄ側の連結支点部が前記支軸４３と支軸４７により構成されている。
【００１９】
また前記窓枠Ｄにおいて枠本体２４の裏側に組付けセットされる前記支持枠２５では、軽量金属材により組立構成された例を示し、図８，９に例示するガラス横入れ形態にあって、前後２列の挿入溝４８を有するレール枠状に成形された上下及び左の枠杆４９，５０と、右側の補強支杆５１とを直角に枠組み連結して方形のガラス枠に構成されており、そして補強支杆５１側、つまり、２列の挿入溝４８の右端を開放して挿入部４８ａを形成し、この挿入部４８ａから前記板ガラス２６を挿入セットし得るようになっている。また前記各枠杆４９，５０及び支杆５１がなす開口面（ガラスの透視面）は前記枠本体２４の窓口２３より適宜広く形成されている。
【００２０】
このような支持枠２５において前記上下の各枠杆４９の外面側には、図１２〜図１６から理解されるように、前後２列の挿入溝４８のほぼ中央に位置するように１列の凹溝５２が形成されており、この凹溝５２の内底面の所定部位に軸孔５２ａが形成されると共に、凹溝５２内と前記挿入溝４８内とを連通する前後一対の係合口５３が設けられている。そして、この係合口５３に対して比較的軟質の弾性素材や樹脂材からなる振れ止め部材５４が、各枠杆４９の外側から取着可能になっている。即ち、図１４〜図１６に一例として示される振れ止め部材５４は、平面形状が略Ｅリング形に合成樹脂成形されたものであり、その中央部下面に前記軸孔５２ａに対応する位置決め軸５４ａが突設されると共に、左右両側に外側へ湾曲するように一体成形された弾性片５５の外側面が、内外の板ガラス２６に対する当接部５６とされている。これにより、前記振れ止め部材５４の係合口５３に対する取着状態では、前記位置決め軸５４ａが軸孔５２ａに挿入支持されて振れ止め部材５４の移動を規制する一方、前記弾性片５５の各当接部５６が、係合口５３から各挿入溝４８内に適宜突出して各板ガラス２６の表面に弾性変形しながら当接し、挿入溝４８内において板ガラス２６がガタ付いたりズレたりしないようにしている。なお、図１４，１５において、５４ｂは前記弾性片５５が内側へ弾性変形するときの逃がし用切欠凹部である。
【００２１】
そして、枠本体２４に対する支持枠２５の組付けについては、左側の上下部に配設された開閉着脱用の支持手段５７と、右側上部に設置された開閉保持機構５８が利用される。即ち、支持手段５７では、図１２に示されるように、左の枠杆５０の外面における長手方向のほぼ中間位置に上下一対の支持片５９，６０が水平方向へ突設され、各支持片５９，６０に前記上下の支持具本体４１，４５の各支軸４３，４７に対応する軸孔５９ａ，６０ａが形成されている。このため、図７及び図１２から理解されるように、支持枠２５は前記各支持片５９，６０の軸孔５９ａ，６０ａを前記各支軸４３，４７に嵌挿連結することにより、前枠Ｂに対して窓枠Ｄの枠本体２４を開閉連結支持する前記開閉連結支持具３５，３８を組付け時における開閉連結機構として兼用し、同開閉連結支持具３５，３８を介して前記枠本体２４の裏側に前後への横開き傾動及び上下への着脱が可能に支持される。
【００２２】
また前記開閉保持機構５８では、支持枠２５の傾動案内及び開放規制を許容する形態として、図５，１１，１３に例示するように、枠本体２４の右裏側上部と支持枠２５の右端部との間に傾動規制手段６１を配置している。即ち、枠本体２４の裏側右上部に固定された支持部材６２に金属材より成形された可動規制部材６３の基端部を水平回動自在に支持し、この可動規制部材６３の先端部に前方から切欠形成された規制案内部としての長溝６４内に支持枠２５における上枠扞４９の右端に突設された係合子及び第１ロック部材としてのピン６５を嵌挿している。そして、前記可動規制部材６３の先端部に上方へ折曲形成した操作片６３ａを指先で摘んで可動規制部材６３を前後方向へ揺動させると、前記ピン６５が長溝６４に沿って摺動案内され、これにより枠本体２４の裏側において支持枠２５は、前記挿入溝４８への板ガラス２６の挿脱が可能とされる開放支持位置（図９参照）と枠本体２４に重合された状態で板ガラス２６の挿脱が不能とされる閉鎖セット位置（図８参照）との間で傾動案内されるようになっている。
【００２３】
また前記開閉保持機構５８では、支持枠２５を前記閉鎖セット位置に保持する形態として、図５，９，１１，１３に示すように、枠本体２４の右裏側と支持枠２５の右側との間にロック手段６６を配置している。即ち、前記支持部材６２の右端部に合成樹脂等の弾性素材からなるフック６７が第２ロック部材として設けられ、前記ピン６５と弾性的に係止することにより前記支持枠２５を閉鎖セット位置に保持し得るようになっている。また同様に、枠本体２４の裏側右下部には前記フック６７と同形状のフック６８が第２ロック部材として設けられ、同フック６８に対応して前記支持枠２５の補強支扞５１の下端部にはピン６９が第１ロック部材として設けられている。即ち、支持枠２５では、前記開放支持位置側から閉鎖セット位置側への回動変位に伴い、第１ロック部材としての各ピン６５，６９が、枠本体２４側に設けられた第２ロック部材としての各フック６７，６８に干渉し、これら各フック６７，６８を弾性変形させ、その変形後の弾性復帰により両者６５，６９，６７，６８が互いに係止することにより、枠本体２４に重合した閉鎖セット位置に閉鎖保持される。
【００２４】
このような支持枠２５の組付け技術において、前記開閉連結支持具３５，３８を利用した支持手段５７は、２枚の板ガラス２６を含む支持枠２５全体の重量に充分耐えうる連結支持構造とされている。また開閉保持機構５８では、支持枠２５全体を安定した姿勢でガラスの横入れに必要な角度を開放し得るように支持している。しかも、図５，６，７，９に示すように、枠本体２４の下端部には金属板により成形されて支持枠２５の下枠扞４９の下面と摺接する受け部７０が水平方向へ延びるように設けられており、支持枠２５が閉鎖セット位置と開放支持位置との間で傾動する際には、前記受け部７０により支持枠２５を下方から安定支持し得るようになっている。そして、図５，６に例示するように、前記枠本体２４の裏面側下縁部には金属板から成形した補強杆７０ａが前記受け部７０よりも下側で前記下側の施錠受け具４０の補強部４０ｃと当接する位置まで延設され、これにより枠本体２４の縁部を補強すると共に、図６に示すように補強杆４０ｃは上の球皿Ｅの開閉支板Ｅ１の上縁部とラビリンス構造でかみ合うことにより、針金等の不正侵入を防止し得るようになっている。そして、前記板ガラス２６の挿入については、適宜開放された枠本体２４に対する支持枠２５の開放支持位置（図９参照）にあって、挿入部４８ａから２列の挿入溝４８に手早く楽に横入れし得る。
【００２５】
次に、本実施形態のパチンコ機における作用について説明する。
さて、前述のように構成されたパチンコ機では外枠Ａに対する前枠Ｂに、前述した窓枠Ｄ、上下の球受け皿Ｅ，Ｆ、打球発射装置Ｇ、遊技盤Ｃ及び各種の付属部品等の遊技用構成部材がセットされて１台単位に構成される。そしてゲームホール内の設置枠台に所定の傾き起立姿勢で配置された外枠Ａに、前述の前枠Ｂ全体が組付けられることにより、在来のパチンコ機と同様な縦型弾球遊技機として遊技に供し得る。このもとで通常の打球発射操作を行うことにより、上の球受け皿Ｅ内の遊技球を１球ずつ発射レール１３に送り込み、打球発射装置Ｇから適宜に打出して遊技盤Ｃ内でパチンコゲームを展開することができる。
【００２６】
そこでこのようなパチンコ機にあって、前枠Ｂに対する窓枠Ｄの組付け並びに実施状況について、以下に説明する。
先ず、窓枠Ｄにおいては、枠本体２４を図７に示すような前枠Ｂに対する開放状態の向きにして、その左上隅部の上の開閉連結支持具３５の支軸３６をバネ４４の付勢力に抗して軸筒部４２内に没入させ、その状態において前記支軸３６と左下隅部の下の開閉連結支持具３８の軸孔３９を、前枠Ｂにおける枠体２の左上端部に固定された支持片３４の軸孔３４ａ及び左中段部に位置する支持片３７の支軸３７ａにそれぞれ整合させる。そして図７に示すように、左上隅部の前記支軸３６を軸筒部４２内の没入状態からバネ４４の付勢力により上昇変位させて前記軸孔３４ａへ嵌挿する一方、左下隅部の軸孔３９に前記支軸３７ａを嵌挿する。これにより、窓枠Ｄの枠本体２４は、前枠Ｂのセット面域１４よりも前方域において外枠Ａに対する前枠Ｂの開閉連結支点と同一縦中心線上に整一されて横開き可能に組付けされる。
【００２７】
次に、前述のように組付けた枠本体２４を前枠Ｂに対し開放状態としたもとで、支持枠２５における上下の支持片５９，６０の各軸孔５９ａ，６０ａを、前記上下の開閉連結支持具３５，３８の各支軸４３，４７に上方側からそれぞれ整合させる。そして、図７に示すように、前記各支軸４３，４７に各軸孔５９ａ，６０ａを嵌挿することにより、支持枠２５は枠本体２４の裏側において受け部７０上に載置支持されて前後への横開き傾動可能に組付けされる。その後、前記支持枠２５を図９，１１に示すように、枠本体２４の裏側において支軸４３，４７を支点として後方側へ傾動開放し、支持枠２５における右上のピン６５を可動規制部材６３における長溝６４内に係入させる。これにより支持枠２５は、枠本体２４に対してガラス挿入に必要な適宜の傾動開放角度をもって横開き状態に規制保持される。
【００２８】
このもとで支持枠２５の挿入部４８ａから板ガラス２６を挿入溝４８に挿入セットし、その後、図１４〜図１６に示すように、振れ止め部材５４をその位置決め軸５４ａが凹溝５２内の軸孔５２ａに挿入されると共に、弾性片５５の当接部５６が、係合口５３から挿入溝４８内に適宜突出するようにして外側から付設すると、挿入溝４８内の板ガラス２６に前記当接部５６が弾性的に係合し、板ガラス２６は、挿入溝４８内においてガタつき及びズレが防止された状態で保持される。そして前記支持枠２５を枠本体２４に重合するように復帰回動させると、支持枠２５における各ピン６５，６９が枠本体２４側の各フック６７，６８に弾性係合して、支持枠２５は枠本体２４の裏側に重合した閉鎖セット位置に保持される。その後、枠本体２４を後方側へ復帰回動させると、窓枠Ｄは前枠Ｂのセット面域１４に整合収容され、施錠装置７における第２施錠機構部１８の昇降施錠杆２０に枠本体２４の施錠受け具４０が係合することにより、窓枠Ｄは前枠Ｂのセット面域１４に整合収容状態で閉鎖セットされる。なお、支持枠２５の挿入溝４８に対する板ガラス２６の挿入セット作業は、支持枠２５を枠本体２４に組付けセットする前に行ってもよい。
【００２９】
なお、前述のように組付けられた窓枠Ｄにおいては、枠本体２４と支持枠２５とを予め組付けたもとで取扱い得ると共に前枠Ｂ側に設置できる。また窓枠Ｄの取外しにあたっては、前枠Ｂに対する開放状態の位置において、前枠Ｂにおける支持片３４の軸孔３４ａ及び支持片３７の支軸３７ａに対してそれぞれ嵌挿された枠本体２４における上の開閉連結支持具３５の支軸３６及び下の開閉連結支持具３８の軸孔３９を、それぞれの連結支持位置から分解開放位置へ昇降変位させる。これにより、前枠Ｂに対する枠本体２４の連結が解除されて窓枠Ｄは簡単に取外しが可能とされる。
【００３０】
前述したように本実施形態のパチンコ機においては、窓枠Ｄを構成する枠本体２４と支持枠２５とが共に合成樹脂成形されているので、窓枠Ｄ全体の軽量化を図ることができると共に、フレームレス（窓枠なし）形態の前提にあって枠本体２４が前枠Ｂの枠体２全体と等しい大きさのセット面域１４に整合する大型サイズに成形されているので、遊技盤Ｃ透視用の窓口２３を大きく確保できる。また合成樹脂からなる枠本体２４の表面には装飾膜（図示しない）の貼付等により簡単に装飾加工を施すことが可能となるので、前枠Ｂや遊技盤Ｃとの色彩や図柄を含む装飾的な調和を取って遊技機全体のグレードアップを図ることができる。
【００３１】
しかも、第１〜第４の各電飾表示部８１〜８４にて構成される電飾表示部８０の設置面域についても、大型サイズとされた窓枠Ｄ前面において広く確保することができるため、枠体２前面の幅狭領域に限定された従来とは異なり、その設計自由度を拡げることができる。また電飾表示部８０が窓枠Ｄの前面において非電光装飾部である装飾膜と窓口２３を包囲する連続模様又は関連模様を形成することにより、パチンコ機前面におけるトータル的な装飾効果を向上することができる。そして、電飾表示部８０における第１〜第４の各電飾表示部８１〜８４のうち、特に第１，第２及び第３の電飾表示部８１，８２，８４については、膨出部９６ａを含む２連の山形状をなすランプレンズ９６の外形状により装飾的効果が一層高められると共に、同ランプレンズ９６内に収容する各光源（キセノン管８５，８６、ＬＥＤ９４ａ〜９４ｃ）の形状・大きさ等の選択幅を拡大することができる。さらに、前記ランプレンズ９６については窓口２３の前面側周辺において離間配置された一群（複数）の光源（キセノン管８５，８６、ＬＥＤ９４ａ〜９４ｃ）を全て一括して被覆可能な一部材として取扱できるので、組付け及び保管時等における利便性を向上することができるばかりでなく、窓枠Ｄへの組付け時にもランプレンズ９６裏側のフック９６ｂを枠本体２４側の係止穴９７に対して弾性力に抗して押し込むというワンタッチ操作だけで組付けることができる。
【００３２】
また前枠Ｂに対する窓枠Ｄの組付けについては、開閉着脱用の支持手段３２，３３が上下の開閉連結支持具３５，３８の支軸３６及び軸孔３９を利用して、前枠Ｂ側の支持片３４の軸孔３４ａ及び支持片３７の支軸３７ａにそれぞれ所定の位置、条件で連結するだけで、枠本体２４を前枠Ｂに対して手早く簡単に組付け得るので、パチンコ機の製造ライン部以外の別部所においても、ビス締め機など特別な道具を必要とせずに手早く簡単に組付け、組外すことができる。さらに枠本体２４に対する支持枠２５の組付けについても、その支持手段５７は前記上下の開閉連結支持具３５，３８の支軸４３，４７を利用して、前記支持枠２５側の支持片５９，６０の各軸孔５９ａ，６０ａに嵌挿連結するだけで、枠本体２４に対する支持枠２５の組付け、組外しを簡単に行うことができる。即ち、前枠Ｂに対する枠本体２４の開閉連結支持と、枠本体２４に対する支持枠２５の開閉連結支持とを、前記開閉連結支持具３５，３８という共通の一部材を兼用して行うことができ、部品点数の減少を図ることができる。
【００３３】
しかも、前記上下の開閉連結支持具３５，３８においては、前枠Ｂに対する枠本体２４の連結支点部となる支軸３６及び軸孔３９と、支持枠２４に対する枠本体２４の連結支点部となる支軸４３，４７とが、それらの支持具本体４１，４５に一体形成されているので、組付け作業時には面倒な開閉支点の調整作業を不要にすることができる。また前枠Ｂ側の連結部（軸孔３４ａ，支軸３７ａ）に対する連結支点部（支軸３６，軸孔３９）と支持枠２４側の連結部（軸孔５９ａ，６０ａ）に対する連結支点部（支軸４３，４７）とは異なる縦中心線上に設けられているので、前枠Ｂに組付けられた枠本体２４に支持枠２５を組付けする際にも作業がし易い空間を確保することができる。
【００３４】
その上、支持枠２５に対する板ガラス２６の挿入セットに際しては、枠本体２４を横開き開放状態にしたもとで、傾動規制手段６１における可動規制部材６３を先端部の指先操作片６３ａを介して指先だけで開閉操作することができ、これにより支持枠２５を後向きに傾動開放することにより挿入部４８ａをガラス挿入作業をし易い位置に変位させられるので、挿入溝４８に対する板ガラス２６の挿入作業を簡単に行うことができる。しかも、可動規制部材６３の長溝６４と支持枠２５におけるピン６５との係合により支持枠２５全体がガラス挿入に適した傾動開放角度（開放支持位置）に安定保持されるので、ガラス挿入セット作業をより確実に手早く行うことができる。
【００３５】
一方、前述した支持枠２５を枠本体２４に重合した閉鎖セット位置に保持する際には、第２ロック部材として機能する各フック６７，６８が第１ロック部材として機能する各ピン６５，６９との閉鎖時の干渉により弾性変形して係止するので、従来から用いられていた回動式の施錠具による施錠動作等を不要にして支持枠２５を閉鎖セット位置に対し迅速に保持することができる。また閉鎖セット位置においては、枠本体２４における裏側下部の受け部７０により支持枠２５の下枠扞４９を下方から支持し、支持枠２５の開閉動作時には前記受け部７０が摺接案内するので、枠本体２４に対して支持枠２５を安定支持することができる。
【００３６】
そして、支持枠２５の挿入溝４８内に挿入された板ガラス２６については、振れ止め部材５４の弾性片５５が当接部５６を介して弾性的に圧接係合するので、挿入溝４８内での板ガラス２６のガタつき及びズレを確実に防止できる。また、振れ止め部材５４自体についても、位置決め軸５４ａが凹溝５２内の軸孔５２ａに挿入係止されるので、前記板ガラス２６に対するガタつき防止機能等を良好に維持できる。しかも、振れ止め部材５４は上枠杆４９の上方（外側）から凹溝５２内の係合口５３へ、板ガラス２６の挿入された後に付設し得る構成であるため、作業をし易いという利点がある。
【００３７】
なお、本発明における前記実施形態は、以下のように変更して実施することも可能である。すなわち、本発明の対象とするパチンコ遊技機は、パチンコ機の他に、アレンジボール機（パチンコ球使用式の図柄組合せ遊技機）も含み、支持枠２５の係合口５３に付設される振れ止め部材５４については、前述した形式以外も推奨される。例えば、図１７〜図１９に略示するように、平面形状が略Ｖリング形に合成樹脂成形された振れ止め部材７１を使用し、その下面に位置決め軸７１ａを突設すると共に、左右両側へ拡開された斜状の弾性片７２の外側面を各板ガラス２６に対する当接部７３としてもよい。そして、この振れ止め部材７１の係合口５３に対する取着状態では、前記位置決め軸７１ａを凹溝５２内の軸孔５２ａに挿入すると共に、前記弾性片７２の両当接部７３が係合口５３から各挿入溝４８内に適宜突出して各板ガラス２６の表面に弾性変形しながら当接するようにすればよい。
【００３８】
また例えば、図２０〜図２２に略示するように、断面形状が略逆チャンネル形状に合成樹脂成形された振れ止め部材７４を用いてもよい。この振れ止め部材７４では、天井部７５の前後両端から弾性片７６が垂設され、両弾性片７６の外側面に当接部７７がそれぞれ膨出形成されている。また当接部７７の下部はテーパ状の斜面７７ａとされ、天井部７５の下面には位置決め軸７８が下方に向けて突設されている。従って、この振れ止め部材７４では、前記支持枠２５の上枠扞４９の凹溝５２内に軸孔７９が両係合口５３間に位置するように形成された前提において、前記軸孔７９に位置決め軸７８が挿入されるように上方から振れ止め部材７４を凹溝５２内へ押し込むと、前記斜面７７ａが凹溝５２の縁部と当接して各弾性片７６が内側へ弾性変形する。そして、さらに下方へ押し込むと各弾性片７６の当接部７７が、係合口５３から挿入溝４８内に適宜突出して板ガラス２６に弾性的に係合すると共に、前記位置決め軸７８が、軸孔７９に挿入係止されて振れ止め部材７４の位置ずれ防止が図られる。なお、前記各振れ止め部材５４，７１，７４については、係合口５３から弾性片５５，７２，７６の当接部５６，７３，７７が挿入溝４８内に突出して板ガラス２６に弾性係合する構成ならば、平面略Ｕ字状やＣ字状等にして構成することも可能である。
【００３９】
また窓枠Ｄにおける電飾表示部８０は、枠本体２４の表面と連続する模様を形成する場合の他、同表面の色彩、図柄との相対関係により所定の装飾模様を形成するような表示形態であってもよく、さらには枠本体２４の表面とは特に装飾的調和をとらない形態も許容される。また第３電飾表示部８３を省略して第１，第２及び第４の各電飾表示部８１，８２，８４だけで電飾表示部８０を構成してもよく、これら各電飾表示部８１，８２，８４のランプレンズ９６については前記実施形態に示す左右対称形態の２連山形状に限らず、３連以上あるいは装飾目的に応じて任意の形状にしてもよい。またランプレンズ９６の表面に所定図柄のフィルムを貼り付けてもよい。
【００４０】
さらに電飾表示部８０の応用例案としては、第１〜第４の各電飾表示部８１〜８４において、電波・磁石等の不正使用に対する不正報知表示、大当たり・権利発生に対する予告表示、遊技機の稼動報知表示（トラブル発生報知を含む）、球抜き報知表示、発射不良報知表示、電圧異常報知表示、図柄変動表示確率の変動報知表示、ホール内の異常（静電気発生）報知表示等の手段として利用することも可能である。
【００４１】
また開閉保持機構５８では、傾動規制手段６１における可動規制部材６３を支持枠２５側に設ける一方、可動規制部材６３の長溝６４に係合するピン６５を枠本体２４側に設けてもよい。またロック手段６６における第１ロック部材（ピン６５，６９）を枠本体２４側に設ける一方、第２ロック部材（フック６８，６９）を支持枠２５側に設けてもよい。さらに開閉連結支持具３５，３８においては前枠Ｂ側の連結部（軸孔３４ａ，支軸３７ａ）に対する連結支点部（支軸３６，軸孔３９）と支持枠２５側の連結部（軸孔５９ａ，６０ａ）に対する連結支点部（支軸４３，４７）とが同一縦中心線上に位置して設けられていてもよい。さらに枠本体２４に対する支持枠２５の連結支点部となる開閉連結支持具３５，３８における受け部を軸孔により構成し、これらの軸孔に対応する支持枠２５側の連結部を支軸（ピン）により構成してもよい。
【００４２】
【発明の効果】
本願請求項１の発明によれば、遊技領域（遊技盤）を透視保護し得る開閉式の窓枠において、枠本体に横開き形態で開閉連結支持された支持枠に対し板ガラスを手早く確実に挿入できると共に、板ガラス挿入後においては簡易迅速にセット完了をすることができる。
【００４３】
また本願請求項２の発明によれば、前記請求項１の発明の効果に加えて、枠本体に対する支持枠の開閉操作を可動規制部材に対する操作だけで簡単に行えると共に、支持枠に対して板ガラスを挿入した後には、同支持枠を閉鎖セット位置方向に回動復帰させるだけで、施錠動作等を要することなく、支持枠を枠本体の裏側に簡易迅速に閉鎖セットできる。
【図面の簡単な説明】
【図１】  本発明の一実施形態に係るパチンコ機を略示する正面図。
【図２】  前枠及び保持枠を略示する正面図。
【図３】  窓枠の枠本体を略示する一部破断正面図。
【図４】  ランプレンズを取外した電飾表示部の概要を示す正面図。
【図５】  窓枠の概要を略示する背面図。
【図６】  図１中のVI−VI線に基づく一部省略側断面図。
【図７】  前枠に対する窓枠の開放状態及び開閉連結支持部等を示す一部省略側断面図。
【図８】  図１中のVIII−VIII線に基づく一部省略平断面図。
【図９】  前枠に対する窓枠の開放状態及び開閉連結支持部等を示す一部省略平断面図。
【図１０】  窓枠の電飾表示部を主に示す平断面図。
【図１１】開閉保持機構の概要を示す一部省略平断面図。
【図１２】支持枠の連結部及び開閉連結支持具を分解して例示する斜視図。
【図１３】支持枠のガラス挿入部、傾動規制手段及びロック手段を分解して例示する斜視図。
【図１４】振れ止め部材の付設状態を分解して例示する斜視図。
【図１５】振れ止め部材の付設状態を示す一部省略平断面図。
【図１６】振れ止め部材の付設状態を示す一部省略縦断面図。
【図１７】他の振れ止め部材の付設状態を分解して例示する斜視図。
【図１８】他の振れ止め部材の付設状態を示す一部省略平断面図。
【図１９】他の振れ止め部材の付設状態を示す一部省略縦断面図。
【図２０】その他の振れ止め部材の付設状態を分解して例示する斜視図。
【図２１】その他の振れ止め部材の付設状態を示す一部省略平断面図。
【図２２】その他の振れ止め部材の付設状態を示す一部省略縦断面図。
【符号の説明】
２…枠体、１７，１８…施錠具としての第１施錠機構部及び第２施錠機構部、２３…窓口、２４…枠本体、２５…支持枠、２６…透明板としての板ガラス、３４ａ…連結部としての軸孔、３５…上の開閉連結支持具、３６…連結支点部としての支軸、３７ａ…連結部としての軸孔、３８…下の開閉連結支持具、３９…連結支点部としての軸孔、４１…上の支持具本体、４３…連結支点部としての支軸、４５…下の支持具本体、４７…連結支点部としての支軸、４８…挿入溝、４８ａ…挿入部、４９…枠扞、５３…係合口、５４…振れ止め部材、５５…弾性片、５６…当接部、５８…開閉保持機構、５９ａ…連結部としての軸孔、６０ａ…連結部としての軸孔、６１…傾動規制手段、６３…可動規制部材、６４…規制案内部としての長溝、６５，６９…ロック部材としてのピン、６６…ロック手段、６７，６８…ロック部材としてのフック、７０…受け部、７１…振れ止め部材、７２…弾性片、７３…当接部、７４…振れ止め部材、７６…弾性片、７７…当接部、８０…電飾表示部、８１〜８４…第１〜第４電飾表示部、８５，８６…光源としてのキセノン管、８７，８８，９２，９５ａ〜９５ｃ…照明用基板としてのランプ基板、８９，９０，９３…設置部、９１，９４ａ〜９４ｃ…光源としてのＬＥＤ、９６，９８…照明用透光部材としてのランプレンズ、９６ａ，９８ａ…膨出部、９６ｂ，９８ｂ…フック、９７，９９…係止穴、Ａ…外枠、Ｂ…前枠、Ｃ…遊技盤、  Ｄ…窓枠。
【図１】
0004017778.tif 000002
【図２】
0004017778.tif 000003
【図３】
0004017778.tif 000004
【図４】
0004017778.tif 000005
【図５】
0004017778.tif 000006
【図６】
0004017778.tif 000007
【図７】
0004017778.tif 000008
【図８】
0004017778.tif 000009
【図９】
0004017778.tif 000010
【図１０】
0004017778.tif 000011
【図１１】
0004017778.tif 000012
【図１２】
0004017778.tif 000013
【図１３】
0004017778.tif 000014
【図１４】
0004017778.tif 000015
【図１５】
0004017778.tif 000016
【図１６】
0004017778.tif 000017
【図１７】
0004017778.tif 000018
【図１８】
0004017778.tif 000019
【図１９】
0004017778.tif 000020
【図２０】
0004017778.tif 000021
【図２１】
0004017778.tif 000022
【図２２】
0004017778.tif 000023